(57)【特許請求の範囲】
【請求項１】
脛の曲面形状に合わせて形成されており膝から足首にかけて装着されるベース部と、前記ベース部の左右両側面に膝から足首にかけて連続的に設けられ、向こう脛の曲面に連続しつつ左右外側に張り出された一対の前方フィンと、前記一対の前方フィンの後方位置において、前記ベース部の左右両側面に膝から足首にかけて連続的に設けられ、ふくらはぎの曲面に連続しつつ左右外側に張り出された一対の後方フィンとを有し、前記ベース部と、前記一対の前方フィンおよび前記一対の後方フィンとは、断面が滑らかな曲線によって連続的に形成されており、前記一対の後方フィンは、膝を曲げた状態から伸ばす場合、および膝を伸ばした状態から曲げる場合のいずれにおいても前記ベース部に対して略同一の向きを保持する、水中推進補助具。
【請求項２】
前記前方フィンと前記ベース部との間には、断面が凹状の曲面部分によって構成される凹溝が形成されており、前記凹溝の溝幅が、上下中央部から上端部および下端部に向けてそれぞれ小さくなるように形成されている、請求項１に記載の水中推進補助具。
【請求項３】
前記前方フィンの下端部には、背面が凹状の曲面となるように後方側へ湾曲された後方湾曲部が形成されている、請求項１または請求項２に記載の水中推進補助具。
【請求項４】
前記一対の前方フィンおよび／または前記一対の後方フィンには、ウォーターカーテンが形成される程度の貫通孔またはスリットが形成されている、請求項１から請求項３のいずれかに記載の水中推進補助具。
【請求項５】
請求項１から請求項４のいずれかに記載の水中推進補助具を備えている水中用衣服。
【発明の詳細な説明】
【技術分野】
【０００１】
本発明は、ライフセービング、スキューバダイビング、スキンダイビング、ウォータースポーツ、水中工事等のように、水中での迅速な移動を必要とするユーザに対して、水中における推進を補助する水中推進補助具およびこれを備えた水中用衣服に関するものである。
【背景技術】
【０００２】
従来、水中における推進を補助する器具として、足ヒレが知られている。また、特開２００８−２３０４４０号公報には、足の膝付近からくるぶし付近にかけて、身体の両脚部の外側に広がる形状で、断面が足先に向けて先鋭したくさび形のサイド型潜水用フィンが提案されている（特許文献１）。
【先行技術文献】
【特許文献】
【０００３】
【特許文献１】特開２００８−２３０４４０号公報
【発明の概要】
【発明が解決しようとする課題】
【０００４】
しかしながら、従来の足ヒレは、装着したままで陸上を歩いたり、ボート等に乗り降りするのが困難であった。また、無理をして足ヒレを装着したまま歩こうとしてもぎこちない歩行となり、また、ファッション性に乏しいため、ビーチやプールサイド等では恥ずかしいという問題もある。さらに、足ヒレを装着したままボート等に乗り降りしようとすると、足を踏み外す危険があり事故や怪我をするおそれがある。
【０００５】
また、特許文献１に記載されたサイド型潜水用フィンは、脚部の外側に大きく広がる形状を有している。このため、水中において推進力を発生させる際、脚の外側にのみ大きな水の抵抗を受け、爪先が外方向に捻られる。よって、よほど筋力の強いユーザでない限りは、サイド型潜水用フィンを正しい向きでバタつかせることができず、十分な推進力が得られないという問題がある。
【０００６】
本発明は、このような問題点を解決するためになされたものであって、装着したままでも陸上を歩いたりボート等に乗り降りでき、ファッション性および安全性が高く、筋力の弱いユーザや使用経験のないユーザであっても簡単に水中での推進力を得ることができる水中推進補助具およびこれを備えた水中用衣服を提供することを目的としている。
【課題を解決するための手段】
【０００７】
本発明に係る水中推進補助具は、脛の曲面形状に合わせて形成されており膝から足首にかけて装着されるベース部と、前記ベース部の左右両側面から向こう脛の曲面に連続しつつ左右外側に張り出された一対の前方フィンとを有している。
【０００８】
また、本発明の一態様として、前記一対の前方フィンの後方位置には、前記ベース部の左右両側面からふくらはぎの曲面に連続しつつ左右外側に張り出された一対の後方フィンが設けられていてもよい。
【０００９】
さらに、本発明の一態様として、前記一対の後方フィンは、前記一対の前方フィンよりも外方向に大きく張り出されていてもよい。
【００１０】
また、本発明の一態様として、前記後方フィンの前面には、断面が凹状に湾曲された前面側凹状湾曲面が形成されているとともに、前記後方フィンの背面には、断面が凹状に湾曲された背面側凹状湾曲面が形成されており、前記前面側凹状湾曲面が、前記背面側凹状湾曲面よりも外側に配置されていてもよい。
【００１１】
さらに、本発明の一態様として、前記一対の前方フィンにおいて左右それぞれの表面積は略同一であり、前記一対の後方フィンにおいて左右それぞれの表面積は略同一であってもよい。
【００１２】
また、本発明の一態様として、前記ベース部は、向こう脛に沿って開口されていてもよい。
【００１３】
さらに、本発明の一態様として、前記前方フィンと前記ベース部との間に形成される凹溝の溝幅が、上下中央部から上端部および下端部に向けてそれぞれ小さくなるように形成されていてもよい。
【００１４】
また、本発明の一態様として、前記前方フィンの下端部には、後方側へ湾曲された後方湾曲部が形成されていてもよい。
【００１５】
さらに、本発明の一態様として、足に履くことが可能なシューズ部を有しており、前記シューズ部の上面側には、左右両側端部から左右外側に張り出された一対の固定フィンが設けられていてもよい。
【００１６】
また、本発明の一態様として、前記シューズ部は、靴底部分を左右方向にスリット状に貫通してなるフィン収納空間と、前記フィン収納空間の前端部または後端部に設けられる揺動軸と、前記揺動軸回りに揺動可能に軸支される一対の揺動フィンとを有しており、各揺動フィンは、前記フィン収納空間内に収容される収納位置と、前記フィン収納空間から左右方向に張り出される張出位置との間で揺動してもよい。
【００１７】
さらに、本発明の一態様として、前記一対の揺動フィンは、前記張出位置に揺動されたときに前記一対の固定フィンよりも外方向に大きく張り出されていてもよい。
【００１８】
また、本発明の一態様として、前記フィン収納空間の各開口部には線ファスナーが設けられており、前記線ファスナーは、スライダーを前記揺動軸側に移動させたときに閉じられてもよい。
【００１９】
また、本発明に係る水中用衣服は、上述したいずれかに記載の水中推進補助具を備えている。
【発明の効果】
【００２０】
本発明によれば、装着したままでも陸上を歩いたりボート等に乗り降りでき、ファッション性および安全性が高く、筋力の弱いユーザや使用経験のないユーザであっても簡単に水中での推進力を得ることができる。
【図面の簡単な説明】
【００２１】
【図１】本発明に係る水中推進補助具の一実施形態を示す斜視図である。
【図２】本実施形態の水中推進補助具を示す正面図である。
【図３】本実施形態の水中推進補助具を示す背面図である。
【図４】本実施形態の水中推進補助具を示す左側面図である。
【図５】本実施形態の水中推進補助具を示す平面図である。
【図６】本実施形態の水中推進補助具を示す底面図である。
【図７】図２における（ａ）Ａ−Ａ線断面図、（ｂ）Ｂ−Ｂ線断面図、および（ｃ）Ｃ−Ｃ線断面図である。
【図８】本実施形態のシューズ部を示す（ａ）正面図、（ｂ）平面図、および（ｃ）Ｄ−Ｄ線端面図である。
【図９】本実施形態のシューズ部における収納構造を示す図である。
【図１０】本実施形態の揺動フィンを張り出した状態を示す図である。
【図１１】本発明に係る水中推進補助具の他の実施形態を示す斜視図である。
【図１２】本発明に係る水中用衣服の一実施形態を示す正面図である。
【発明を実施するための形態】
【００２２】
以下、本発明に係る水中推進補助具１の一実施形態について図面を用いて説明する。なお、本発明では、人の脚を意味する用語として、膝からくるぶしまでの間の部分を「脛（shank）」とし、くるぶしから下の部分を「足（foot）」として使い分けることとする。
【００２３】
本実施形態の水中推進補助具１は、図１から図６に示すように、膝から足首にかけて装着されるベース部２と、このベース部２の左右両側面から左右外側に張り出された一対の前方フィン３，３と、これら一対の前方フィン３，３の後方位置において、ベース部２の左右両側面から左右外側に張り出された一対の後方フィン４，４と、足に履くことが可能なシューズ部５とを有している。以下、各構成部について説明する。
【００２４】
ベース部２は、水中推進補助具１をユーザの両脚に装着させるためのものである。本実施形態において、ベース部２は、弾力性や耐久性に優れたゴム素材や合成樹脂等によって形成されている。また、ベース部２は、図１から図６に示すように、膝からくるぶしまでの間の脛の曲面形状に合わせて形成されており、その内面が脛と密着するようになっている。
【００２５】
一方、ベース部２は、向こう脛（脛の前面部分）に沿って開口された前方開口２１と、ふくらはぎ（脛の後面部分）に沿って開口された後方開口２２とを有しており、向こう脛およびふくらはぎが露出するようになっている。このような開口２１，２２により装着のし易さや清涼感が高められる。また、前方開口２１からベース部２に至る形状は向こう脛に沿って当該向こう脛から連続的な曲面を描くように形成されており、水中での抵抗力を低減するようになっている。また、同様に後方開口２２からベース部２に至る形状はふくらはぎに沿って当該ふくらはぎから連続的な曲面を描くように形成されており、後方側に脚を蹴り上げる際に抵抗力を低減するようになっている。
【００２６】
なお、本実施形態では、ベース部２に前方開口２１や後方開口２２を設け、ユーザの身体の一部もフィンとして利用することで軽量化を図っているが、この構成に限定されるものではない。例えば、ベース部２に前方開口２１や後方開口２２を設けることなく、レッグウォーマーのような筒状の構成にしてもよい。また、ベース部２が脛から外れてしまうのを防止するため、ベース部２の上端部近傍に帯状の透明ベルト（図示せず）を設け、締め付けて装着するようにしてもよい。
【００２７】
前方フィン３は、水をかき分けることにより推進力を発生させるものである。本実施形態において、前方フィン３は左右一対で構成されており、図１に示すように、ベース部２の左右両側面から向こう脛の曲面に連続しつつ左右外側に張り出されている。これにより、各前方フィン３は、向こう脛によって両側にかき分けられた水を受けて捕捉するとともに、当該水を後方へ押し出しながら受け流すことにより、推進力を発生させるようになっている。
【００２８】
また、本実施形態において、前方フィン３は、図２および図７に示すように、向こう脛に沿って凹溝３１が形成されており、水を捉えやすくなっている。一方、前記凹溝３１の溝幅が上下中央部から上端部および下端部に向けてそれぞれ小さくなるように形成されており、水中で水を徐々に捉えるとともに、徐々に逃がしやすくなっている。さらに、本実施形態では、図４に示すように、前方フィン３の下端部には、後方側へ湾曲された後方湾曲部３２が形成されている。このため、前方フィン３，３の前面側で受けた水を下端部から背面側へスムーズに流すようになっている。
【００２９】
なお、本実施形態において、前方フィン３は、ベース部２と同様の素材によって形成されているが、この構成に限定されるものではなく、しなり具合や剛性のバランスを考慮して適宜異なる素材を選択してもよい。例えば、前方フィン３の横幅が比較的小さい場合には、硬い素材を使用し、横幅が比較的大きい場合には柔らかい素材を使用してもよい。また、基端部は硬く、先端部に向けていくに従って滑らかに柔らかくなる素材を使用してもよい。
【００３０】
さらに、本実施形態では、水を補足しやすくするため、図７に示すように、前方フィン３の端部が前方に向けて湾曲されている。しかしながら、この構成に限定されるものではなく、少なくとも左右外側に張り出していればよい。
【００３１】
後方フィン４は、前方フィン３と同様、左右一対で構成されており、前方フィン３で受け損ねた水をかき分けることにより推進力を発生させるものである。本実施形態において、後方フィン４は、図１から図６に示すように、一対の前方フィン３，３の後方位置において、ベース部２の左右両側面からふくらはぎの曲面に連続しつつ左右外側に張り出されている。また、各後方フィン４，４は、各前方フィン３，３よりも外方向に大きく張り出されている。これにより、前方フィン３で受け損ねた水を効果的に受けて捕捉し、水の抵抗を分散させるとともに、当該水を後方へ押し出しながら受け流すことにより、より大きな推進力を発生させるようになっている。したがって、前方フィン３，３を小さめに形成して抵抗を小さくしても後方フィン４，４によって推進力をカバーすることができる。
【００３２】
また、本実施形態では、図７に示すように、後方フィン４の前面には、断面が凹状に湾曲された前面側凹状湾曲面４１が形成されており、後方フィン４の背面には、断面が凹状に湾曲された背面側凹状湾曲面４２が形成されている。そして、前面側凹状湾曲面４１が、背面側凹状湾曲面４２よりも外側に配置されている。これにより、前面側凹状湾曲面４１は、後方フィン４の外側へ逃げようとする水を捕捉しやすくなっている。
【００３３】
また、後方フィン４の背面には、背面側凹状湾曲面４２の外側に、断面が凸状に湾曲された凸状湾曲面４３が形成されている。このため、膝を曲げる際には、背面側凹状湾曲面４２が水を受けてある程度の推進力を発生させる。一方、背面側凹状湾曲面４２でかき分けられた水は、凸状湾曲面４３によって外側へスムーズに受け流されるため、膝を曲げる際に後方フィン４が受ける水の抵抗を低減するようになっている。
【００３４】
さらに、本実施形態では、一対の前方フィン３，３において左右それぞれの表面積は略同一に形成されており、一対の後方フィン４，４において左右それぞれの表面積も略同一に形成されている。このため、各脚にかかる水の抵抗が左右で略同一となり、捻れ方向の負荷が発生しないようになっており、脚や膝への負担をできるだけかけないようになっている。なお、本発明において、略同一とは完全同一のみならず、上記効果を享受できる範囲内であれば、製造誤差等によって多少異なっている状態を含む概念である。
【００３５】
なお、前方フィン３，３および後方フィン４，４の張り出し幅（横幅）は、陸上を歩いたりボート等に乗り降りする際に邪魔にならない程度のサイズに設定されている。このようなサイズであっても、上下方向に長い面積を有しているため、水を受けて推進力を発生させる機能は確保される。
【００３６】
シューズ部５は、足を被覆して保護するものである。本実施形態において、シューズ部５は、ベース部２と同様の素材によって形成されており、短靴と同様の基本構造を有している。一方、シューズ部５の上面側には、図１および図８（ａ）、（ｂ）に示すように、左右両側端部から左右外側に張り出された一対の固定フィン５１，５１を有している。これら各固定フィン５１は、図８（ｃ）に示すように、上面が凹状の湾曲面に形成されている。このため、足の甲部分で両側にかき分けられた水を受けて捕捉するとともに、当該水を後方へ押し出しながら受け流すことにより、推進力を発生させるようになっている。
【００３７】
また、本実施形態において、シューズ部５は、図９および図１０に示すように、靴底部分を左右方向にスリット状に貫通してなるフィン収納空間５２と、このフィン収納空間５２の後端部に設けられる揺動軸５３と、この揺動軸５３回りに揺動可能に軸支される一対の揺動フィン５４，５４とを有している。この構成により、各揺動フィン５４，５４は、フィン収納空間５２内に収容される収納位置（図９）と、フィン収納空間５２から左右方向に張り出される張出位置（図１０）との間で揺動するようになっている。
【００３８】
本実施形態において、各揺動フィン５４，５４は、図９および図１０に示すように、前方の外側が凸湾曲形状に形成されているとともに、前方の内側には段差部５４ａが形成されている。また、フィン収納空間５２の各開口部には線ファスナー５５が設けられており、開閉可能に構成されている。各線ファスナー５５は、スライダー５６を揺動軸５３側に移動させたときに閉じられるように取り付けられている。
【００３９】
上記の構成により、図１０に示すように、各揺動フィン５４，５４を張出位置まで揺動させた後、スライダー５６を閉じる方向に移動させると、段差部５４ａに当接したところでストップする。このため、線ファスナー５５は、各揺動フィン５４，５４が収納方向へ揺動するのを規制するストッパーとして機能するようになっている。また、各揺動フィン５４，５４を収納位置まで揺動させた後、線ファスナー５５を閉じると、各揺動フィン５４，５４が完全に収納されるようになっている。
【００４０】
なお、本実施形態では、揺動軸５３がフィン収納空間５２の後端部に設けられているため、スライダー５６を前方から後方へ移動させたときに閉じられるように線ファスナー５５を取り付けているが、この構成に限定されるものではない。すなわち、揺動軸５３がフィン収納空間５２の前端部に設けられている場合には、スライダー５６を後方から前方へ移動させたときに閉じられるように線ファスナー５５を取り付ければ同様のストッパー機能を発揮する。また、本実施形態では、揺動フィン５４の張り出し度合いを一定にするために、段差部５４ａを設けているが、必ずしも形成されていなくてもよい。
【００４１】
また、本実施形態において、各揺動フィン５４，５４は、張出位置に張り出されたときに、各固定フィン５１，５１よりも外方向に大きく張り出されている。これにより、固定フィン５１で受け損ねた水を受けて捕捉し、水の抵抗を分散させるとともに、当該水を後方へ押し出しながら受け流すことにより、より大きな推進力を発生させるようになっている。
【００４２】
なお、固定フィン５１および揺動フィン５４の張り出し幅（横幅）は、前方フィン３および後方フィン４と同様、陸上を歩いたりボート等に乗り降りする際に邪魔にならない程度のサイズに設定されている。このようなサイズであっても、前後方向に長く形成されているため、水を受けて推進力を発生させる機能は確保される。なお、本実施形態では、揺動フィン５４が収納可能に構成されているため、揺動フィン５４の張り出し幅を大きめに設定しても、陸上では収納すれば邪魔にならない。
【００４３】
つぎに、本実施形態の水中推進補助具１による作用について説明する。
【００４４】
本実施形態の水中推進補助具１を用いて、水中で推進力を得る場合、図１に示すように、ユーザの膝から足首にかけてベース部２を装着するとともに、シューズ部５を足に履く。これにより、シューズ部５は足の爪先側にフィン等の嵩張る部材を有しない上、本実施形態の各フィン３，４，５１，５４は邪魔にならない横幅に形成されているため、装着したまま歩いたりボート等に乗り降りしても、全く邪魔にならず安全性が高い。
【００４５】
また、水中推進補助具１は、従来の足ヒレとは一線を画する斬新で近未来的なデザインであるため、ファッション性が高くスマートな印象を誘起させる。さらに、本実施形態では、ベース部２が前方開口２１および後方開口２２を有することで、着脱がし易くなり、清涼感も高められる。また、装着したユーザの脚線美を強調する上、水中推進補助具１を軽量化するため、陸上および水中での機動性を向上させる。
【００４６】
さらに、本実施形態では、図９に示すように、揺動フィン５４が、収納位置に揺動された状態で線ファスナー５５を閉じることで、フィン収納空間５２内に収納される。このため、陸上での歩行時等に、不意に揺動フィン５４がフィン収納空間５２から飛び出してしまうことがない。一方、図１０に示すように、揺動フィン５４を張出位置に揺動させた状態で線ファスナー５５を閉じると、スライダー５６が段差部５４ａに当接し、揺動フィン５４が収納方向へ揺動するのを規制する。このため、揺動フィン５４は迅速かつ簡単に張出位置で固定される。
【００４７】
水中では、水中推進補助具１を装着したユーザが膝を屈伸運動させると、各フィン３，４，５１，５４が水を受けて後ろに押し出し、大きな推進力を発生させる。具体的には、膝を曲げた状態から伸ばした場合、ユーザの向こう脛が水を後方へ押し出しながらかき分け、推進力を発生させる。このとき、向こう脛の曲面に連続しつつ左右外側に張り出された前方フィン３が、向こう脛で左右両側にかき分けられた水をスムーズに受けて捕捉し、当該水を後方へ受け流すことにより、推進力を発生させる。
【００４８】
また、本実施形態では、前方フィン３とベース部２との間に形成される凹溝３１の溝幅が上下中央部から上端部および下端部に向けてそれぞれ小さくなるため、上端部からは水を捉えやすく、下端部からは水を逃がしやすい。さらに、本実施形態では、前方フィン３の下端部に設けられた後方湾曲部３２が、水をスムーズに後方へ流して水の抵抗を低減する。
【００４９】
また、本実施形態では、前方フィン３よりも左右外側に張り出され、前面側凹状湾曲面４１を有する後方フィン４が、前方フィン３で受け損ねた水を受けて捕捉する。このため、水の抵抗が分散されるとともに、当該水を後方へ押し出しながら受け流すことにより、より大きな推進力を発生させる。さらに、本実施形態では、前方フィン３および後方フィン４の表面積が左右で略同一に形成されているため、ユーザの脛にかかる水の抵抗が左右で略同一となり、捻れ方向の負荷を発生しない。
【００５０】
また、膝を曲げた状態から伸ばした場合、シューズ部５では、足の甲が水をかき分け、推進力を発生させる。このとき、各固定フィン５１，５１が、足の甲部分で両側にかき分けられた水を受けて捕捉し、当該水を後方へ押し出しながら受け流すことにより、推進力を発生させる。また、各固定フィン５１，５１よりも左右外側に大きく張り出された各揺動フィン５４，５４が、固定フィン５１で受け損ねた水を受けて捕捉し、水の抵抗を分散させる。そして、当該水を後方へ押し出しながら受け流すことにより、より大きな推進力を発生させる。
【００５１】
一方、膝を伸ばした状態から曲げた場合、ユーザのふくらはぎが水を押し出しながらかき分け、推進力を発生させる。このとき、ふくらはぎの曲面に連続しつつ左右外側に張り出された後方フィン４が、ふくらはぎで左右両側にかき分けられた水をスムーズに受けて捕捉し、当該水を後方へ受け流すことにより、推進力を発生させる。
【００５２】
本実施形態において、後方フィン４では、背面側凹状湾曲面４２が水を受けて後方へ押し出し、ある程度の推進力を発生させる。このとき、背面側凹状湾曲面４２は、前面側凹状湾曲面４１よりも内側に配置されているため、膝を曲げた状態から伸ばす場合に発生させる推進力よりも小さいが、その分当該動作に必要なモーメントも小さくて済み、脚を曲げやすい。そして、背面側凹状湾曲面４２でかき分けられた水は、凸状湾曲面４３がスムーズに後方や外方へ流すため、膝を曲げる際に後方フィン４が受ける水の抵抗を低減する。
【００５３】
以上のように、本実施形態の水中推進補助具１は、ユーザの脛やふくらはぎ、足の甲といった身体の一部もフィンの一部として利用するため、コンパクトでスマートなデザインながらも最大限の推進力を発生させる。
【００５４】
以上のような本実施形態によれば、以下のような効果を奏する。
１．水中推進補助具１を装着したままでも陸上を歩いたりボート等に乗り降りでき、ファッション性および安全性に優れている。
２．ライフセービング、スキューバダイビング、スキンダイビング、ウォータースポーツ、水中工事等のように、水中での迅速な移動を必要とするユーザに対して、水中における推進を補助することができ、実用性に優れている。
３．筋力の弱いユーザや使用経験のない初心者であっても簡単に水中で推進力を得ることができる。
４．脚でかき分けた水を前方フィン３および後方フィン４によって受け、膝を支点とした屈伸運動エネルギーを効率的に推進力へ変化させることができる。
５．後方フィン４が前方フィン３の左右方向へ逃げた水を捉えるとともに、揺動フィン５４が固定フィン５１の左右方向へ逃げた水を捉え、エネルギー効率を向上することができる。
６．水中推進補助具１を介して各脚にかかる負荷を左右均等にでき、脚が捻れるのを防止し、推進力を効果的に発生させることができる。
７．前方開口２１および後方開口２２によって斬新なデザインを実現しつつ、軽量化でき、女性や子供でも簡単に使用することができる。
８．シューズ部５によって、足の運動エネルギーからも推進力を発生させることができる。
９．シューズ部５に対して揺動フィン５４を簡単に出し入れでき、張出位置での固定や収納位置への収納を容易化することができる。
１０．後方フィン４は、膝を曲げた状態から伸ばす場合、および膝を伸ばした状態から曲げる場合のいずれにおいても推進力を発生させることができる。
１１．ユーザの身体をフィンの一部として有効に機能させることができる。
【００５５】
なお、上述した本実施形態では、ベース部２とシューズ部５とが分離された分離型の水中推進補助具１として構成されているが、この構成に限定されるものではない。すなわち、図１１に示すように、ベース部２とシューズ部５とが一体的に形成された一体型の水中推進補助具６として構成してもよい。この一体型の水中推進補助具６によれば、足首付近に継ぎ目がないため、余計な水の抵抗を受けることがなく、膝の屈伸運動にかかる負荷が低減する。
【００５６】
また、上述した本実施形態では、水中推進補助具１を素肌に直接装着しているが、この構成に限定されるものではない。すなわち、図１２に示すように、ウェットスーツやドライスーツ等のように、水中で着用する水中用衣服７の上から装着してもよい。この場合、水中推進補助具１，６の内周面と水中用衣服７の外表面にはそれぞれ面ファスナー等を設け、迅速かつ簡単に一体化および取り外しができるように構成しておくことが好ましい。しかしながら、この構成に限定されるものではなく、水中推進補助具１と水中用衣服７とを一体的に形成し、前方フィン３、後方フィン４、固定フィン５１および揺動フィン５４を直接、水中用衣服７に取り付けてもよい。
【００５７】
なお、本発明に係る水中推進補助具１およびこれを備えた水中用衣服７は、前述した実施形態に限定されるものではなく、適宜変更することができる。
【００５８】
例えば、上述した本実施形態では、水中推進補助具１としてのベース部２およびシューズ部５を同時に使用しているが、いずれか一方のみを単独で使用してもよい。また、上述した本実施形態では、脚部用の水中推進補助具１を想定しているが、この構成に限定されるものではなく、肘から手首にかけて装着可能な腕用ベース部と、この腕用ベース部の左右両側面から前腕の曲面に連続しつつ左右外側に張り出された一対の腕用フィンとを有する、腕用の水中推進補助具として構成してもよい。
【００５９】
さらに、上述した本実施形態では、前方フィン３、後方フィン４、固定フィン５１および揺動フィン５４はいずれも表面が滑らかな曲面状に形成されているが、この構成に限定されるものではない。すなわち、水の表面張力によってウォーターカーテンが形成される範囲内であれば、各フィン３，４，５１，５４に小さな貫通孔や細いスリット等を形成してもよい。これにより、推進力を低下させることなく水中推進補助具１が軽量化され、剛性の高い素材であっても可撓性が向上するため、装着時の動きやすさが向上する。
【００６０】
また、上述した本実施形態では、前方フィン３および後方フィン４の両方を備えているが、前方フィン３あるいは後方フィン４のいずれか一方のみを備えるようにしてもよいし、一つのフィンのみを備える場合には、脛の真横に近い位置に配置してもよい。
【００６１】
また、上述した本実施形態では、揺動フィン５４を揺動可能に構成しているが、この構成に限定されるものではない。固定フィン５１と同様、揺動フィン５４をシューズ部５と一体的に形成してもよい。これにより、靴底部分の構造が簡素化されて製造コストが低減する。
【符号の説明】
【００６２】
１  水中推進補助具（分離型）
２  ベース部
３  前方フィン
４  後方フィン
５  シューズ部
６  水中推進補助具（一体型）
７  水中用衣服
２１  前方開口
２２  後方開口
３１  凹溝
３２  後方湾曲部
４１  前面側凹状湾曲面
４２  背面側凹状湾曲面
４３  凸状湾曲面
５１  固定フィン
５２  フィン収納空間
５３  揺動軸
５４  揺動フィン
５４ａ  段差部
５５  線ファスナー
５６  スライダー
【要約】
【課題】  装着したままでも陸上を歩いたりボート等に乗り降りでき、ファッション性および安全性が高く、筋力の弱いユーザや使用経験のないユーザであっても簡単に水中での推進力を得ることができる水中推進補助具およびこれを備えた水中用衣服を提供する。
【解決手段】  水中推進補助具１は、脛の曲面形状に合わせて形成されており膝から足首にかけて装着されるベース部２と、前記ベース部２の左右両側面から向こう脛の曲面に連続しつつ左右外側に張り出された一対の前方フィン３，３とを有している。
【選択図】  図１【図７】
0005710059.tif 000002
【図１】
0005710059.tif 000003
【図２】
0005710059.tif 000004
【図３】
0005710059.tif 000005
【図４】
0005710059.tif 000006
【図５】
0005710059.tif 000007
【図６】
0005710059.tif 000008
【図８】
0005710059.tif 000009
【図９】
0005710059.tif 000010
【図１０】
0005710059.tif 000011
【図１１】
0005710059.tif 000012
【図１２】
0005710059.tif 000013